(57)【要約】【課題】電磁障害対策性能が向上し、しかも、構造がコンパクトなコネクタを提供する。【解決手段】シールドカバー３は、コンタクトの接触部を被覆するシェルプレート４と接続する略Ｕ字形状部（第１のばね部）３ｇと、コネクタを基板４１に固定する被ロック片（固定部材）６と接続する板ばね部（第２のばね部）３ｆとを有する。レセプタクルコネクタ１は基板上に実装され、シールドカバーの背面部３ｂは基板のグラウンドコンタクト４１ａに接続する。略Ｕ字形状部がインシュレータ２の凹部２ｃに挿入されることにより、シールドカバーがインシュレータに位置決めされ、かつ、保持されるので、シールドカバーの取付け取外しを簡易に行うことができる。【選択図】      図６
2004342559.tif 000002
【特許請求の範囲】
【請求項１】
接触部と端子部とを備えるコンタクトと、前記コンタクトを保持するインシュレータと、前記コンタクトの接触部を被覆するシェルと、コネクタを基板に固定する固定部材とを有するコネクタにおいて、
前記コネクタは、少なくとも前記コンタクトの端子部を被覆するシールドカバーを有し、
前記シールドカバーは、前記シェルと接続する第１のばね部と、前記固定部材と接続する第２のばね部とを有し、
前記インシュレータは、前記第１のばね部と係合する凹部を有し、
前記第１のばね部が前記インシュレータの凹部に挿入されることにより、前記シールドカバーが前記インシュレータに位置決めされ、かつ、保持されることによって、前記シールドカバーは前記シェル及び前記固定部材とそれぞれ接続することを特徴とするコネクタ。
【請求項２】
前記シールドカバーは前記基板のグラウンドと接続する基板接続端子部を有することを特徴とする請求項１記載のコネクタ。
【請求項３】
前記固定部材は相手側コネクタのロック部とロックする被ロック部を有することを特徴とする請求項１記載のコネクタ。
【発明の詳細な説明】
【０００１】
【発明の属する技術分野】
本発明は、電磁障害対策性能を有するコネクタに関し、高速の電気信号を伝送する電子機器（コンピュータ、サーバ、交換機等）のＩ／Ｏポート等に使用される。
【０００２】
【従来の技術】
従来のシールドケース用ソケットコネクタについて説明する（例えば、特許文献１参照。）。
【０００３】
図７（Ａ）はソケットコネクタの外観斜視図、図７（Ｂ）は図７（Ａ）における線Ａ−Ａによってソケットコネクタが２部分に切り離された状態の外観斜視図、図８は４つのソケットコネクタを備える基板と２つのシールドケースの組立説明用縮小斜視図である。
【０００４】
シールドケース用ソケットコネクタ６１は、１枚の導電性金属板を裁断及び折曲げ加工することによって製作され、略直方体の箱形状に構成される。ソケットコネクタ６１の上面側には、側方から中央部に向けて延在する帯状部を箱側内部に向けて折り曲げることによって一対のバネ部６１ａ，６１ｂを形成する。一対のばね部６１ａ，６１ｂは、対向して配置され、対向方向に向けて付勢する弾力性を有し、シールドケース６３の脚部６３ａを挟持するばね接点部となる。
【０００５】
また、ソケットコネクタ６１の下面側にも同様に、側方から中央部に向けて延在する帯状部を箱側内部に向けて折り曲げることによって一対のばね部６１ｃ，６１ｄを形成する。一対のばね部６１ｃ，６１ｄは、対向して配置され、対向方向に向けて付勢する弾力性を有し、シールドケース６５の脚部６５ａを挟持するばね接点部となる。
【０００６】
二対のばね部６１ａ，６１ｂ，６１ｃ，６１ｄ間は、導電結合部となる側面部６１ｅによって電気的に結合されている。なお、シールドケース６３，６５は、いずれも導電性材料から製作され、相互に協働して電磁波漏洩を防止する。
【０００７】
一対のばね部６１ａ，６１ｂと一対のばね部６１ｃ，６１ｄとは、シールドケース６３，６５の脚部６３ａ，６５ａの挿入方向と直交する方向にずれているので、シールドケース６３の脚部６３ａとシールドケース６５の脚部６５ａとは、衝突しない。このため、ソケットコネクタ６１の高さ寸法は、大きくならない。
【０００８】
ソケットコネクタ６１の両側下端部には、基板６２に半田接続するためのホールドダウン６１ｆが形成されている。
【０００９】
ソケットコネクタ６１の上面部には、自動実装装置の吸引ノズル（図示せず）によって吸着されるのに適切な被吸着面６１ｇが形成されている。被吸着面６１ｇを吸引ノズルによって吸着して、ソケットコネクタ６１を基板６２上にセットし、各ホールドダウン６１ｆを基板６２に半田付けする。
【００１０】
図８においては、４つのソケットコネクタ６１は、基板６２上に実装され、シールドケース６３，６５の各脚部６３ａ，６５ａに対応して配置されている。なお、各ソケットコネクタ６１が取り付けられた基板６２の各位置には、貫通孔が形成され、各ソケットコネクタ６１の一対のばね部６１ｃ，６１ｄは基板６２の裏面側に露出する。また、シールドケース６３，６５の内部に収納される電子部品の図示は、省略されている。
【００１１】
シールドケース６３，６５の基板６２への取付けは、各脚部６３ａ，６５ａをそれぞれ対応するばね部６１ａ，６１ｂ，６１ｃ，６１ｄに差し込むことによって行われる。
【００１２】
【特許文献１】
特開平７−２４９８８６号公報（第３頁第３欄第３１行−第４欄第４２行、図１，２）
【００１３】
【発明が解決しようとする課題】
従来のソケットコネクタ６１は、シールドケース６３，６５によって被覆されているが、ソケットコネクタそれ自体は、電磁シールド手段を有しない。このため、電磁障害対策が不十分であり、また、コネクタ装置全体が大型化せざるを得ない。
【００１４】
そこで、本発明は、前記従来の技術の欠点を改良し、電磁障害対策性能が向上し、しかも、構造がコンパクトなコネクタを提供しようとするものである。
【００１５】
【課題を解決するための手段】
本発明は、前記課題を解決するため、次の手段を採用する。
【００１６】
１．接触部と端子部とを備えるコンタクトと、前記コンタクトを保持するインシュレータと、前記コンタクトの接触部を被覆するシェルと、コネクタを基板に固定する固定部材とを有するコネクタにおいて、前記コネクタは、少なくとも前記コンタクトの端子部を被覆するシールドカバーを有し、前記シールドカバーは、前記シェルと接続する第１のばね部と、前記固定部材と接続する第２のばね部とを有し、前記インシュレータは、前記第１のばね部と係合する凹部を有し、前記第１のばね部が前記インシュレータの凹部に挿入されることにより、前記シールドカバーが前記インシュレータに位置決めされ、かつ、保持されることによって、前記シールドカバーは前記シェル及び前記固定部材とそれぞれ接続するコネクタ。
【００１７】
２．前記シールドカバーは前記基板のグラウンドと接続する基板接続端子部を有する前記１記載のコネクタ。
【００１８】
３．前記固定部材は相手側コネクタのロック部とロックする被ロック部を有する前記１記載のコネクタ。
【００１９】
【発明の実施の形態】
本発明の一実施の形態例のシールドカバーを有するレセプタクルコネクタについて図１〜図６を参照して説明する。
【００２０】
図１（Ａ）は、可動ロック片固定タイプのレセプタクルコネクタ１とプラグコネクタ１１との嵌合前の斜視図である。
【００２１】
レセプタクルコネクタ１のインシュレータ２は、シールドカバー３によって被覆されている。インシュレータ２の前面には、シェルプレート４が固定され、シェルプレート４から突出するインシュレータ２の突出部２ａには、複数のレセプタクルコンタクト５が保持されている。また、シェルプレート４の左右両側には、それぞれ被ロック片６が設けられている。インシュレータ２の突出部２ａは、シェルプレート４の被覆部４ａによって被覆されている。
【００２２】
プラグコネクタ１１の内部構造は、上下２つのシェル１２，１３によって被覆されている。プラグコネクタ１１の前面側では、複数のプラグコンタクト（図示せず）がインシュレータ（図示せず）に保持されている。また、プラグコネクタ１１のインシュレータの前面の左右両側には、それぞれ板ばね状の可動ロック片１４が設けられている。両シェル１２，１３の後面から同軸ケーブル１５がプラグコネクタ１１の内部に挿入されて、各プラグコンタクトに接続されている。
【００２３】
プラグコネクタ１１とレセプタクルコネクタ１とを矢印方向に嵌合させると、各プラグコンタクトと各レセプタクルコンタクト５とが接続し、また、両可動ロック片１４が両被ロック片６をロックする。
【００２４】
図１（Ｂ）は、ねじ固定タイプのレセプタクルコネクタ２１とプラグコネクタ３１との嵌合前の斜視図である。
【００２５】
レセプタクルコネクタ２１は、レセプタクルコネクタ１の各被ロック片６を各６角ナット２６に代え、プラグコネクタ３１は、プラグコネクタ１１の各可動ロック片１４を各ねじ３４に代えたものである。その他の点では、ねじ固定タイプの両コネクタ２１，３１は、可動ロック片固定タイプの両コネクタ１，１１と同様である。
【００２６】
プラグコネクタ３１とレセプタクルコネクタ２１とを矢印方向に嵌合させた後、各ねじ３４の撮み３４ａを回転させると、各ねじ３４の先端が各６角ナット２６にねじ込まれるので、両コネクタ２１，３１はロックされる。
【００２７】
レセプタクルコネクタ１の使用方法について図２を参照して説明する。
【００２８】
レセプタクルコネクタ１は、（Ａ）に示されるように、基板４１上の縁部に実装されている。ただし、レセプタクルコネクタ１には、シールドカバー３が組み付けられていない。基板４１上には、シールドカバー３と接続する数個の略逆オーム形状のグラウンドコンタクト４１ａ（市販品）が設けられている。（Ｂ）は、（Ａ）を裏側から見た斜視図である。
【００２９】
（Ｃ）は、（Ａ）におけるレセプタクルコネクタ１にシールドカバー３が組み付けられた状態を示す。
【００３０】
（Ｄ）は、レセプタクルコネクタ１がパネル（筐体）４２に埋め込まれるように一対のパネル固定用ねじ７によって固定された状態を示す。基板４１は、パネル４２に直交する方向に固定されている。（Ｅ）は（Ｄ）を裏側から見た斜視図である。
【００３１】
シールドカバー３のレセプタクルコネクタ１への組み付け及び基板４１へのグラウンド接続について図３を参照して説明する。
【００３２】
（Ａ）において、シールドカバー３をインシュレータ２に組み付けると、シールドカバー３の背面部３ｂは、基板４１の各グラウンドコンタクト４１ａ内に挿入される。また、（Ａ）に示される略逆オーム形状の各グラウンドコンタクト４１ａに代えて、（Ｂ）と（Ｃ）に示されるように、背面部３ｂの下縁に数個の略Ｌ字形状のグラウンドコンタクト３ｂ１を形成する。
【００３３】
シールドカバー３の詳細な構造について図４を参照して説明する。（Ａ）〜（Ｃ）に示されるように、シールドカバー３は、上面部３ａと、上面部３ａに直交する背面部３ｂと、上面部３ａの背面部３ｂ寄りの両側に上面部３ａに直交するように形成される幅狭の左右両側面部３ｃ，３ｄと、両側面部３ｃ，３ｄに隣接して形成されてインシュレータ２内の固定金具（被ロック片６、図６参照）に固定される板ばね部３ｅ，３ｆと、上面部３ａの前面側に上面部３ａに直交する方向に形成されてインシュレータ２の凹部（図６（Ｄ）における２ｃ参照）に入り込み位置決めする略Ｕ字形状部３ｇとから一体に構成される。略Ｕ字形状部３ｇの前面側には、シェルプレート４と接続する長方形状の高い板ばね３ｇ１と低い板ばね３ｇ２とが交互に形成されている。
【００３４】
図４（Ｄ）は、背面部３ｂの下縁に数個の略Ｌ字形状のグラウンドコンタクト３ｂ１が形成されるシールドカバー３の一設計変更例を示す。各グラウンドコンタクト３ｂ１は、基板４１に直接接続される。
【００３５】
レセプタクルコネクタ１を基板４１に固定するための固定金具（被ロック片６、ねじブロック８）の構造について図５を参照した説明する。
【００３６】
（Ａ）において、各被ロック片６の先端付近には、プラグコネクタ１１の各可動ロック片１４の先端係合部１４ａを固定するためのロック穴６ａが設けられている。また、各被ロック片６の中央厚部６ｂには、ねじ穴６ｂ１が設けられている。更に、各被ロック片６の後端付近の下縁には、基板４１のスルーホールに圧入して固定するための脚部６ｃが設けられている。
【００３７】
レセプタクルコネクタ１のインシュレータ２の後部左右両側には、凹部２ｂが設けられている。シェルプレート４の左右両側には、長穴４ｂとねじ穴４ｃが設けられている。
【００３８】
各被ロック片６のインシュレータ２とシェルプレート４への取り付けは、次のように行われる。まず、各被ロック片６の先端をインシュレータ２の各凹部２ｂを経てシェルプレート４の各長穴４ｂに挿入する。次に、各ねじ７（図６参照）をレセプタクルコネクタ１の前面から各ねじ穴４ｃと各ねじ穴６ｂ１にねじ込むと、各被ロック片６は固定される。レセプタクルコネクタ１を図２（Ｄ），（Ｅ）に示されるように、パネル４２に取り付ける場合には、シェルプレート４をパネル４２の後面に配置する。
【００３９】
図５（Ｂ）において、直方体形状の一対のねじブロック８の前面には、ねじ穴８ａが設けられ、また、下面にもねじ穴が設けられている。一対の６角ナット２６の一端側の中心には、ねじ穴２６ａが設けられ、更に、各６角ナット２６の他端側からおねじ２６ｂが突出して設けられている。
【００４０】
各ねじブロック８のインシュレータ２とシェルプレート４への取り付けは、次のように行われる。まず、各ねじブロック８をインシュレータ２の左右両側の凹部（図示せず）に挿入する。次に、各６角ナット２６のおねじ２６ｂをシェルプレート４の各ねじ穴４ｃを貫通して各ねじブロック８のねじ穴８ａにねじ込むと、各ねじブロック８は固定される。
【００４１】
続いて、レセプタクルコネクタ１を基板４１に載せた後に、一対のおねじ９を基板４１の裏面から各ねじブロック８の下面のねじ穴にねじ込むと、レセプタクルコネクタ１は基板４１に固定される。
【００４２】
シールドカバー３のグラウンド及び保持構造について図６を参照して説明する。
【００４３】
（Ｄ）に示されるように、シールドカバー３の前面側に形成された略Ｕ字形状部３ｇ（第１のばね部）は、インシュレータ２の上面に設けられた凹部２ｃに挿入され、シェルプレート４と接続する。シールドカバー３の背面部３ｂの下縁は、基板４１の各グラウンドコンタクト４１ａ内に挿入される。
【００４４】
（Ｅ）に示されるように、シールドカバー３の板ばね部３ｆ（３ｅも同様）（第２のばね部）は、固定金具の被ロック片６に接続する。
【００４５】
【発明の効果】
以上の説明から明らかなように、本発明によれば、次の効果が、奏される。
【００４６】
１．シールドカバーは、コンタクトの接触部を被覆するシェルと接続する第１のばね部と、コネクタを基板に固定する固定部材と接続する第２のばね部とを有するので、コネクタの電磁障害対策性能が向上する。
【００４７】
２．第１のばね部がインシュレータの凹部に挿入されることにより、シールドカバーがインシュレータに位置決めされ、かつ、保持されるので、シールドカバーの取付け取外しを簡易に行うことができる。
【００４８】
３．コネクタの構造が簡素かつコンパクトで、部品点数が少なく、コネクタの組立分解が容易で、更に、コストが安価である。
【図面の簡単な説明】
【図１】本発明の一実施の形態例のシールドカバーを有するレセプタクルコネクタと相手側のプラグコネクタとの嵌合前の斜視図であり、（Ａ）は可動ロック片固定タイプ、（Ｂ）はねじ固定タイプを、それぞれ示す。
【図２】同可動ロック片固定タイプのレセプタクルコネクタが基板とパネルに実装された諸斜視図を（Ａ）〜（Ｅ）にそれぞれ示す。
【図３】同可動ロック片固定タイプのレセプタクルコネクタと基板とのグラウンド接続の斜視図及び側面図であり、（Ａ）はシールドカバーの取付け前の同コネクタが各グラウンドコンタクトを有する基板に実装された状態、（Ｂ）は各グラウンドコンタクトを有するシールドカバーが取り付けられた同コネクタが基板に実装された状態、（Ｃ）は（Ｂ）におけるグラウンドコンタクトと基板との拡大側面図を、それぞれ示す。
【図４】同シールドカバーの諸斜視図であり、（Ａ）は前面側から見たもの、（Ｂ）は（Ａ）における円内の拡大図、（Ｃ）は背面側から見た縮小図、（Ｄ）は一設計変更例の背面側から見た縮小図を、それぞれ示す。
【図５】同レセプタクルコネクタを同基板に固定するための固定金具の構造の斜視図であり、（Ａ）は可動ロック片固定タイプ、（Ｂ）はねじ固定タイプを、それぞれ示す。
【図６】同シールドカバーのグラウンド及び保持構造の諸図であり、（Ａ）は平面図、（Ｂ）は正面図、（Ｃ）は側面図、（Ｄ）は（Ａ）における線Ａ−Ａによる断面図、（Ｅ）は（Ａ）における線Ｂ−Ｂによる断面図を、それぞれ示す。
【図７】従来のソケットコネクタの外観斜視図であり、（Ａ）は全体図、（Ｂ）は（Ａ）における線Ａ−Ａにより切り離された状態図を、それぞれ示す。
【図８】４つの同ソケットコネクタを備える基板と２つのシールドケースの組立説明用縮小斜視図である。
【符号の説明】
１    レセプタクルコネクタ
２    インシュレータ
２ａ    突出部
２ｂ    凹部
２ｃ    凹部
３    シールドカバー
３ａ    上面部
３ｂ    背面部
３ｂ１    グラウンドコンタクト
３ｃ    側面部
３ｄ    側面部
３ｅ    板ばね部
３ｆ    板ばね部
３ｇ    略Ｕ字形状部
３ｇ１    高い板ばね
３ｇ２    低い板ばね
４    シェルプレート
４ａ    被覆部
４ｂ    長穴
４ｃ    ねじ穴
５    レセプタクルコンタクト
６    被ロック片
６ａ    ロック穴
６ｂ    中央厚部
６ｂ１    ねじ穴
６ｃ    脚部
７    ねじ
８    ねじブロック
８ａ    ねじ穴
９    おねじ
１１    プラグコネクタ
１２    シェル
１３    シェル
１４    可動ロック片
１４ａ    先端係合部
１５    同軸ケーブル
２１    レセプタクルコネクタ
２６    ６角ナット
２６ａ    ネジ穴
２６ｂ    おねじ
３１    プラグコネクタ
３４    ねじ
３４ａ    撮み
４１    基板
４１ａ    グラウンドコンタクト
４２    パネル（筐体）
【図１】
2004342559.tif 000003
【図２】
2004342559.tif 000004
【図３】
2004342559.tif 000005
【図４】
2004342559.tif 000006
【図５】
2004342559.tif 000007
【図６】
2004342559.tif 000008
【図７】
2004342559.tif 000009
【図８】
2004342559.tif 000010